(57)【要約】【課題】散乱放射線による影響の度合いによらず、一台の放射線画像撮影装置を用いて画像品質の高い放射線画像が撮影できるようにする。【解決手段】散乱放射線による影響が大きい標準撮影と、散乱放射線による影響が小さいＰＣＭ撮影とに応じて、ブッキー台２ａを用いるか否かの選択が容易に行える。このため、散乱放射線による影響の度合いによらず、一台の放射線画像撮影装置１０を用いて画像品質の高い放射線画像が撮影可能となる。【選択図】図２
2005185472.tif 000002
【特許請求の範囲】
【請求項１】
放射線画像を記録するための放射線画像記録パネルと、
前記放射線画像記録パネルの記録面と放射線源及び被写体とが互いに対向する配置で該放射線画像記録パネルを装着して前記放射線画像を記録する撮影部と、
前記放射線画像記録パネルと前記被写体との間に着脱自在に設けられ、該被写体により散乱される散乱放射線を除去するためのグリッドを具備したブッキー台と、
を備えたことを特徴とする放射線画像撮影装置。
【請求項２】
放射線画像を記録するための放射線画像記録パネルと、前記放射線画像記録パネルの記録面と放射線源及び被写体とが互いに対向する配置で該放射線画像記録パネルを装着して前記放射線画像を記録する撮影部と、前記放射線画像記録パネルと前記被写体との間に該被写体により散乱される散乱放射線を除去するためのグリッドを具備したブッキー台とを備えた放射線画像撮影装置において、
前記ブッキー台と前記撮影部とを回動可能に連結するとともに、前記グリッドが前記装着済み放射線画像記録パネルの記録面に略平行且つ前記放射線源から該記録面を被覆する配置から、該放射線源に対して前記放射線画像記録パネルの記録面を露出する配置までの間を、前記ブッキー台が移動可能なヒンジ部を備えたことを特徴とする放射線画像撮影装置。
【請求項３】
放射線画像を記録するための放射線画像記録パネルと、前記放射線画像記録パネルの記録面と放射線源及び被写体とが互いに対向する配置で該放射線画像記録パネルを装着して前記放射線画像を記録する撮影部と、前記放射線画像記録パネルと前記被写体との間に、該被写体により散乱される散乱放射線を除去するためのグリッドを具備したブッキー台とを備えた放射線画像撮影装置において、
前記グリッドが前記放射線画像記録パネルの記録面に略平行且つ前記放射線源から該記録面を被覆する配置に前記ブッキー台を保持すると共に、前記ブッキー台が、当該配置から、前記放射線源に対して前記放射線画像記録パネルの記録面を露出する配置までの間を移動可能なブッキー台支持部を備えたことを特徴とする放射線画像撮影装置。
【発明の詳細な説明】
【技術分野】
【０００１】
本発明は、放射線画像を撮影するための放射線画像撮影装置に関する。
【背景技術】
【０００２】
近時、Ｘ線等の放射線を用いて、放射線画像記録パネル（カセッテ）に記録された放射線画像が病気診断等に広く用いられているが、特に最近では、ＰＣＭ撮影と称する鮮鋭性に優れた放射線画像を得る放射線撮影技術が考案されている（例えば、特許文献１を参照。）。
【０００３】
このＰＣＭ撮影は、標準撮影に対して拡大撮影を行うものであり、小焦点放射線源を用いて位相コントラストによるエッジ強調された放射線画像が得られる。ここで、標準撮影では、被写体と、放射線画像撮影装置にセットされた放射線画像記録パネルとが密着した状態で撮影され、ＰＣＭ撮影では、被写体と、この放射線画像記録パネルとが所定距離だけ離隔した状態で撮影される。
【０００４】
一方、放射線曝射の際（撮影時）に、被写体により散乱される散乱放射線が放射線画像記録パネルに蓄積され、記録されるような場合が生じる。このような散乱放射線がノイズとして放射線画像記録パネルに記録されると、画像品質の劣化を招くこととなる。このようにノイズが記録された放射線画像を用いても、正確な読影、診断は困難となる。
【０００５】
そこで、従来より、このような散乱放射線を除去するための手段として、放射線吸収率の高い鉛等からなる放射線吸収層と放射線吸収率の低いアルミニウム、紙、木、合成樹脂等からなる放射線透過層とがストライプ（stripe）状に交互に形成されたグリッドと称する板状の放射線吸収材を具備したブッキー（bucky）台を用いる技術が種々考案されている。
【特許文献１】特開２００１―２３８８７１号公報
【発明の開示】
【発明が解決しようとする課題】
【０００６】
グリッドには、放射線の透過層と非透過層とがストライプ状に周期的に形成された一種の回折格子となっているため、放射線画像記録パネルにはブッキー台が具備するグリッドによる影響（グリッドによる放射線の干渉。）が若干残ってしまう。このため、散乱放射線による影響が小さいような場合にはブッキー台の使用を避けるのが、画像品質の高い放射線画像を得るためには好ましい。
例えば、ＰＣＭ撮影の場合には、被写体と放射線画像記録パネルとの間が標準撮影の場合に比べて離れているため、散乱放射線による影響がより小さい。このため、ＰＣＭ撮影の際にはブッキー台を用いないのが、画像品質の高い放射線画像を得るためには好ましい。
しかし、ブッキー台は、放射線画像撮影装置に固定されているので、移動や取り外しが困難である。このため、散乱放射線による影響がグリッドによる影響より大きい標準撮影時には、ブッキー台を備えた放射線画像撮影装置を用い、散乱放射線による影響がグリッドによる影響より小さいＰＣＭ撮影時には、ブッキー台を具備しない放射線画像撮影装置を用いる等、散乱放射線による影響の度合いに応じて放射線画像撮影装置が使い分けられているのが現状である。このため、散乱放射線による影響の度合いによらずに利用可能な、利便性の高い放射線画像撮影装置の開発が望まれている。
【０００７】
本発明の課題は、散乱放射線による影響の度合いによらず、一台の放射線画像撮影装置を用いて画像品質の高い放射線画像が撮影できるようにすることである。
【課題を解決するための手段】
【０００８】
上記課題を解決するため、請求項１に記載の発明は、
放射線画像を記録するための放射線画像記録パネルと、
前記放射線画像記録パネルの記録面と放射線源及び被写体とが互いに対向する配置で該放射線画像記録パネルを装着して前記放射線画像を記録する撮影部と、
前記放射線画像記録パネルと前記被写体との間に着脱自在に設けられ、該被写体により散乱される散乱放射線を除去するためのグリッドを具備したブッキー台と、
を備えたことを特徴とする。
【０００９】
上記課題を解決するため、請求項２に記載の発明は、
放射線画像を記録するための放射線画像記録パネルと、前記放射線画像記録パネルの記録面と放射線源及び被写体とが互いに対向する配置で該放射線画像記録パネルを装着して前記放射線画像を記録する撮影部と、前記放射線画像記録パネルと前記被写体との間に該被写体により散乱される散乱放射線を除去するためのグリッドを具備したブッキー台とを備えた放射線画像撮影装置において、
前記ブッキー台と前記撮影部とを回動可能に連結するとともに、前記グリッドが前記装着済み放射線画像記録パネルの記録面に略平行且つ前記放射線源から該記録面を被覆する配置から、該放射線源に対して前記放射線画像記録パネルの記録面を露出する配置までの間を、前記ブッキー台が移動可能なヒンジ部を備えたことを特徴とする。
【００１０】
また、上記課題を解決するため、請求項３に記載の発明は、
放射線画像を記録するための放射線画像記録パネルと、前記放射線画像記録パネルの記録面と放射線源及び被写体とが互いに対向する配置で該放射線画像記録パネルを装着して前記放射線画像を記録する撮影部と、前記放射線画像記録パネルと前記被写体との間に、該被写体により散乱される散乱放射線を除去するためのグリッドを具備したブッキー台とを備えた放射線画像撮影装置において、
前記グリッドが前記放射線画像記録パネルの記録面に略平行且つ前記放射線源から該記録面を被覆する配置に前記ブッキー台を保持すると共に、前記ブッキー台が、当該配置から、前記放射線源に対して前記放射線画像記録パネルの記録面を露出する配置までの間を移動可能なブッキー台支持部を備えたことを特徴とする。
【発明の効果】
【００１１】
本発明によれば、例えば、散乱放射線による影響が大きい標準撮影と、散乱放射線による影響が小さいＰＣＭ撮影とに応じて、ブッキー台を用いるか否かの選択が容易に行える。このため、散乱放射線による影響の度合いによらず、一台の放射線画像撮影装置を用いて画像品質の高い放射線画像が撮影可能となる。
【発明を実施するための最良の形態】
【００１２】
以下、図面を参照して本発明を適用した一実施の形態について詳細に説明する。まず、図１を参照して放射線画像撮影システム１００の構成について説明する。
【００１３】
図１に示すように、放射線画像撮影システム１００は、病院等に設置され、小焦点放射線源１、制御装置４、画像ＤＢ５、放射線画像撮影装置１０を備えて成る。放射線画像撮影装置１０は、ブッキー台２ａ、撮影部３を備え、ブッキー台２ａはグリッド２ｂを備える。
また、撮影時には小焦点放射線源１と撮影部３との間に被写体Ａが配置される。
【００１４】
撮影部３は、着脱自在な放射線画像記録パネル３ａと、読取装置３ｂとを備える。放射線画像記録パネル３ａは放射線画像を記録する、例えば輝尽性蛍光体等の蛍光体を備える。
【００１５】
読取装置３ｂは、光電子増倍管であり、この輝尽性蛍光体から励起光（レーザ）照射後に発生する輝尽光を集光しアナログ画像信号に光電変換して当該アナログ画像信号を後段の制御装置４に出力する。
【００１６】
制御装置４は、小焦点放射線源１を制御して撮影時に放射線を放射線画像記録パネル３ａに向けて照射させる。
【００１７】
制御装置４は、読取装置３ｂから入力されたアナログ画像信号をデジタル画像信号にＡ／Ｄ変換する等の画像処理を行う。
【００１８】
制御装置４は、ＨＩＳ（Hospital Information System；病院情報システム）／ＲＩＳ（Radiorogy Information System；放射線科情報システム）等に接続された病院内ネットワークを介して、他の外部機器との間でデータの送受信を行うためのインターフェースを備える。
【００１９】
画像ＤＢ（Data Base）５は、撮影部３により読み取られ、制御装置４により画像処理された画像データを格納する。
【００２０】
次に、図２（ａ）、図２（ｂ）を参照して、放射線画像撮影装置１０におけるブッキー台２ａの設置態様を２例説明する。
【００２１】
＜第１の設置態様＞
図２（ａ）に、ブッキー台２ａと撮影部３とが、ヒンジ（hinge）部２１を介して、図中符号Ｂ１に示す方向に回動可能に連結されるような設置態様を示す。
【００２２】
このような第１の設置態様によれば、操作者は、ＰＣＭ撮影時には、ブッキー台２ａを撮影部３から離隔する方向に回動させて、ブッキー台２ａ、すなわちグリッド２ｂを用いないで撮影するように設定できる。また、標準撮影時には、ブッキー台２ａを撮影部３に近づける方向に回動させてグリッド２ｂが小焦点放射線源１から記録面３１を被覆する配置にセットし、グリッド２ｂを、放射線画像記録パネル３ａと被写体Ａとの間に介在させて撮影するように設定できる。
【００２３】
＜第２の設置態様＞
図２（ｂ）に、撮影部３に上部ブッキー台支持部３１ａ及び下部ブッキー台支持部３１ｂを設け、ブッキー台２ａと撮影部３とが、これら上部ブッキー台支持部３１ａ及び下部ブッキー台支持部３１ｂを介して連結されるような設置態様を示す。
【００２４】
上部ブッキー台支持部３１ａ及び下部ブッキー台支持部３１ｂは、ブッキー台２ａを、図中符号Ｂ２に示す方向に移動させて、記録面３１の前面側にセットさせたり、撮影部３（すなわち、及び放射線画像撮影装置１０。）から取り外したりするためのものである。
【００２５】
このような第２の設置態様によれば、操作者は、ＰＣＭ撮影時には、ブッキー台２ａを撮影部３から取り外して撮影するように設定でき、標準撮影時には、ブッキー台２ａを、グリッド２ｂが小焦点放射線源１から記録面３１を被覆する配置にセットし、グリッド２ｂを放射線画像記録パネル３ａと被写体Ａとの間に介在させて撮影するように設定できる。
【００２６】
以上説明したように、上記図２（ａ）、図２（ｂ）に示すブッキー台２ａの第１及び第２の設置態様によれば、散乱放射線による影響が大きい標準撮影と、散乱放射線による影響が小さいＰＣＭ撮影とに応じて、ブッキー台２ａを用いるか否かの選択が容易に行える。このため、散乱放射線による影響の度合いによらず、一台の放射線画像撮影装置１０を用いて画像品質の高い放射線画像が撮影可能となる。
【００２７】
なお、本実施の形態における記述は、本発明に係る放射線画像撮影装置の一例を示すものであり、これに限定されるものではない。本実施の形態における放射線画像撮影装置１０（及び、放射線画像撮影システム１００。）の細部構成および詳細動作に関しては、本発明の趣旨を逸脱しない範囲で適宜変更可能である。
【００２８】
例えば、図３に示す放射線画像撮影装置１０ａのように、被写体台３２の上部にブッキー台２ａを着脱自在に備えるような構成であってもよい。ここで、放射線画像撮影装置１０ａは、ブッキー台２ａ、被写体台３２や、カセッテを着脱自在に保持するためのカセッテ台３３等を備える。
この場合、ＰＣＭ撮影時以外では、ブッキー台２ａが放射線画像撮影装置１０ａに装着されて使用され、ＰＣＭ撮影時には、ブッキー台２ａが放射線画像撮影装置１０ａから取り外されて（退避されて）不使用とされる。
【００２９】
また、放射線画像撮影システム１００の装置構成や、撮影部３、読取装置３ｂ、ブッキー台２ａ、ヒンジ部２１、上部ブッキー台支持部３１ａ、下部ブッキー台支持部３１ｂ、被写体台３２、カセッテ台３３等の各部の形状は、図示したものに限らない。
【図面の簡単な説明】
【００３０】
【図１】本発明を適用した放射線画像撮影システムの概略構成を示す図である。
【図２】（ａ）は、ブッキー台の設置態様の一例を示す図であり、（ｂ）は、ブッキー台の設置態様の他の例を示す図である。
【図３】ブッキー台の設定態様の一例を示す図である。
【符号の説明】
【００３１】
１  小焦点放射線源
２ａ  ブッキー台
２ｂ  グリッド
３  撮影部
３ａ  放射線画像記録パネル
３ｂ  読取装置
４  制御装置
５  画像ＤＢ
１０、１０ａ  放射線画像撮影装置
２１  ヒンジ部
３１  記録面
３２  被写体台
３３  カセッテ台
３１ａ  上部ブッキー台支持部
３１ｂ  下部ブッキー台支持部
１００  放射線画像撮影システム
【図１】
2005185472.tif 000003
【図２】
2005185472.tif 000004
【図３】
2005185472.tif 000005